(57)【要約】【課題】  スプール弁とハウジングの内壁面との間に異物が侵入してスプール弁の動作を妨げること等を防ぐ流量制御装置を提供する。【解決手段】  流量制御装置６０は、スプール弁１７と、絞り通路１２を介して圧力流体を流体作動装置へ送出するユニオン１３と、スプール弁１７及びユニオン１３を保持するハウジング１０と、弁収納孔１１を有する。スプール弁１７は弁収納孔１１内に配置され、ユニオン１３は弁収納孔１１を介してハウジング１０に取り付けられる。ハウジング１０内には、ポンプを吐出された圧力流体を弁収納孔１１へ導く供給通路１５や、スプール弁１７の動作に伴って余剰流体を弁収納孔１１からポンプへ還流させるバイパス通路１６が形成される。スプール弁１７の先端には、ダスト収集部材３０が取り付けられており、圧力流体とともに弁収納孔１１内に流入した異物をダスト収集部材３０により捕集する。【選択図】  図１
2011111928.tif 000002
【特許請求の範囲】
【請求項１】
軸方向に摺動可能で該軸方向における一方側に配置されたスプール弁と、前記スプール弁に対して軸方向の他方側に配置され、その内側の絞り通路を介して圧力流体を流体作動装置へ送出するユニオンと、前記スプール弁及びユニオンを保持するハウジングと、前記スプール弁が配置されるとともに、ユニオンがそれを介してハウジングに取り付けられるハウジング内に形成された弁収納孔と、
ポンプを吐出された圧力流体を前記弁収納孔へ導くための前記ハウジング内に形成され
た供給通路と、前記スプール弁の動作に伴って余剰流体を前記弁収納孔からポンプへ還流
させるための前記ハウジング内に形成されたバイパス通路と、
前記軸方向におけるスプール弁とユニオンとの間で、弁収納孔の周方向に沿って設けられ、少なくとも前記供給通路の弁収納孔への開口と対向する側に設けられた、前記圧力流体中に含まれる異物を捕集するための弾性材からなるダストリップと、
を有することを特徴とする流量制御装置。
【請求項２】
前記ダストリップは、弁収納孔の全周に沿って設けられることを特徴とする、請求項１に記載の流量制御装置。
【請求項３】
前記ダストリップは、支持部材を介して前記スプール弁の先端に取付けられることを特徴とする、請求項１に記載の流量制御装置。
【請求項４】
前記支持部材は、スプール弁の先端に軸方向に沿って取り付けられた支柱と、該支柱の先端に取り付けられ、弁収納孔の内壁面の周回に沿った円弧の少なくとも一部を外周とし、内径側に貫通孔が形成された板状の支持ディスクとを備え、
前記ダストリップは、支持ディスクの外周に沿って取付けられることを特徴とする請求項３に記載の流量制御装置。
【請求項５】
前記支持ディスクは、弁収納孔の内壁面の全周に沿って形成された中空円板状をなしており、前記ダストリップが該支持ディスクの全周に沿って取付けられている請求項４に記載の流量制御装置。
【請求項６】
前記支持ディスクは、供給通路の弁収納孔への開口と対向する側で、外周が弁収納孔の全周の半周に対応する半円形状に形成され、該半円径状のディスクの外周の端から端に亘ってダストリップが設けられていることを特徴とする請求項４に記載の流量制御装置。
【発明の詳細な説明】
【技術分野】
【０００１】
本発明は、ポンプより吐出された流量を所定量に制御する流量制御装置に関する。
【背景技術】
【０００２】
動力舵取装置に用いられるポンプは、一般にエンジンによって駆動され、エンジン回転数に比例した流量を吐出するため、吐出流量を動力舵取装置に必要な所定流量に制御する流量制御装置が備えられる。
【０００３】
かかる流量制御装置として、例えば、特許文献１に記載のものがある。特許文献１に記載のものは、スプール弁を摺動可能に嵌装した弁収納孔の開口側に、固定絞り部を設けたユニオンの筒状本体がねじ込まれ、筒状本体の先端部には鍔状部が弁収納孔の内周面に接近するように全周にわたって設けられ、鍔状部の外周縁部と弁収納孔の内周面との間に一定の隙間（環状隙間）が形成されている。
【０００４】
この特許文献１に記載の流量制御装置においては、弁収納孔内に流入した吐出油が、筒状本体の鍔状部と弁収納孔の内周面との間の環状隙間を介して、スプール弁のユニオン側端部に作用し、バイパス路にバイパスされるようになっているため、スプール弁のユニオン側端部に作用する噴流に含まれた異物が、スプール弁の外周縁とハウジングの内壁面（弁収納孔）との間に蓄積しやすくなる。このために、スプール弁の摺動によって、スプール弁の外周縁とハウジングの内壁面との間に異物を噛み込み、スプール弁の円滑な摺動が妨げられる恐れがある。
【０００５】
そこで、スプールバルブ及びユニオン周辺の流体の流れを制御することで、このような異物がスプール弁の外周縁とハウジングの内壁面との間に溜まることを防ぐようにしたものがある（特許文献２、特許文献３）。
【０００６】
特許文献２では、ユニオン２の先端のフランジ２５の形状をハウジングに向かって凸面状をなすように形成している。これにより、ポンプから供給された流体がユニオン側からスプール側へ流れる際の噴流の速度を弱め、スプール弁の先端の周縁部に溜まる異物を洗い流すようにしている。
【０００７】
特許文献３では、スプール弁の先端に旋回部材を設け、余剰流体をバイパス路へ導く際のバイパス流によって旋回流を発生させる。この旋回流によりスプール弁の先端の周縁部に溜まろうとする異物を洗い流すようにしている。
【先行技術文献】
【特許文献】
【０００８】
【特許文献１】特開２００２−３３１９５０号公報（段落００１５、図２）
【特許文献２】特開２００４−２８３２１
【特許文献３】特開２００９−７９４９８
【発明の概要】
【発明が解決しようとする課題】
【０００９】
しかし、特許文献２，３のように、スプール弁から異物を洗い流し得るように流体を制御することが容易でない場合がある。即ち、ポンプでは流量や圧力が大きく変動する場合があり、流れの条件に変動があると所望の流れに制御することができず、異物を洗い流せない場合がある。
【００１０】
また、所望の流れに制御するためには、特許文献２の場合であればユニオン先端のフランジについて、特許文献３の場合であれば旋回部材（羽根部材）について、所望の形状に高い精度で形成することが求められる。さらに、これら特許文献２、３の場合には、スプール弁やユニオンといったポンプの汎用的な要素部材に、仕様変更のための煩雑な加工作業を施すことも必要となる。
【００１１】
そこで、本発明は、流体中の異物がスプール弁とハウジング間の隙間に溜まることを、より簡潔な構造で、より確実に防止することを目的とする。
【課題を解決するための手段】
【００１２】
上記課題を解決するため、本発明は、軸方向に摺動可能で該軸方向における一方側に配置されたスプール弁と、前記スプール弁に対して軸方向の他方側に配置され、その内側の絞り通路を介して圧力流体を流体作動装置へ送出するユニオンと、前記スプール弁及びユニオンを保持するハウジングと、前記スプール弁が配置されるとともに、ユニオンがそれを介してハウジングに取り付けられるハウジング内に形成された弁収納孔と、
ポンプを吐出された圧力流体を前記弁収納孔へ導くための前記ハウジング内に形成された供給通路と、前記スプール弁の動作に伴って余剰流体を前記弁収納孔からポンプへ還流させるための前記ハウジング内に形成されたバイパス通路と、
前記軸方向におけるスプール弁とユニオンとの間で、弁収納孔の周方向に沿って設けられ、少なくとも前記供給通路の弁収納孔への開口と対向する側に設けられた、前記圧力流体中に含まれる異物を捕集するための弾性材からなるダストリップと、
を有することを特徴とする流量制御装置である(請求項１)。
【００１３】
本発明の流量制御装置によると、ポンプより供給通路を通って弁収納孔内に圧力流体とともに流入した異物をダストリップにより捕集することができる。このダストリップを設けるにあたり、本発明者らは、弁収納孔内での異物の動きに関する研究を重ね、以下の知見を得た。即ち、圧力流体ととともに弁収納孔内に流入した異物の多くは、前記供給通路が弁収納孔へ通ずる開口が形成される側に対して、弁収納孔の中心軸を挟んで対向する側に滞留する傾向があることを確認した。従って、ダストリップを、少なくとも弁収納孔が形成される側と対向する側に設けると、弁収納孔内に流入した異物をダストリップにより効果的に捕集できる。
これにより、本発明の流量制御装置によると、ハウジングとスプール弁との間の隙間に異物が侵入することを防止でき、スプール弁の動作が異物によって妨げられることや、スプール弁やハウジングが異物により損傷を受けることを防ぐことができる。
そして、本発明の流量制御装置によると、このような異物による流量制御装置への悪影響を防止するにあたり、ダストリップを設けるという簡便な構造を採用することができ、構造の複雑化を防止し、異物による装置への悪影響を防止することができる。
【００１４】
上記流量制御装置において、前記ダストリップを、弁収納孔の全周に沿って設けることもできる(請求項２)。この発明によると、ダストリップを弁収納孔の全周に沿って設けるので、異物を漏れなく確実に捕集することができる。
【００１５】
また、前記ダストリップについて、支持部材を介して前記スプール弁の先端に取付けることもできる(請求項３)。この発明によると、ダストリップは支持部材を介してスプール弁に取り付けられるので、ダストリップはスプール弁とともに摺動することとなる。従って、スプール弁の動きに従う圧力流体の流動に対応させてダストリップを動作させることができ、圧力流体の流れに沿って移動する異物についても効果的に捕集することができる。
【００１６】
また、前記ダストリップを支持部材を介してスプール弁に取り付ける場合について、前記支持部材を、スプール弁の先端に軸方向に沿って取り付けられた支柱と、該支柱の先端に取り付けられ、弁収納孔の内壁面の周回に沿った円弧の少なくとも一部を外周とし、内径側に貫通孔が形成された板状の支持ディスクとを備える構成とし、
前記ダストリップを、支持ディスクの外周に沿って取付けることができる(請求項４)。
この発明によると、スプール弁とともに動作するダストリップが支持ディスクによって支持されるので、ダストリップを安定して動作させることができる。また、支持ディスクは内径側に貫通孔が形成されており、ダストリップの支持に必要となる部分のみを残しているので、周辺の圧力流体の流れに対する影響を低減できる。
【００１７】
また、前記支持ディスクを、弁収納孔の内壁面の全周に沿って形成し、ダストリップを該支持ディスクの全周に沿って取り付けることもできる(請求項５)。この発明によると、ダストリップが弁収納孔の内壁面の全周に設けられるので、異物を漏れなく確実に捕集することができる。
【００１８】
また、前記支持ディスクを、供給通路の弁収納孔への開口と対向する側に、外周を弁収納孔の全周の略半周に対応させて半円形状に形成し、該半円径状のディスクの外周の端から端に亘ってダストリップを設けることもできる(請求項６)。この発明によると、支持ディスク及びダストリップを設ける範囲を、弁収納孔の全周に亘って設けた場合に比べて少なくできるので、圧力流体に対する影響をより低減することができる。一方、供給通路の弁収納孔への開口と対向する側における、弁収納孔の全周に対する略半周に亘ってダストリップが設けられるので、異物の多くを効果的に捕集することもできる。
【発明の効果】
【００１９】
本発明の流量制御装置によると、ポンプより供給通路を通って弁収納孔内に圧力流体とともに流入した異物をダストリップにより捕集することができる。これにより、ハウジングとスプール弁との間の隙間に異物が侵入することを防止でき、スプール弁の動作が異物によって妨げられることや、スプール弁やハウジングが異物により損傷を受けることを防ぐことができる。そして、このような異物による流量制御装置への悪影響を防止するにあたり、ダストリップを設けるという簡便な構造を採用することができ、構造の複雑化を防止し、異物による悪影響を防止することができる。
【図面の簡単な説明】
【００２０】
【図１】本発明の実施の形態の流量制御装置の軸方向に沿った一部断面図である
【図２】図１のII−II線矢視図である
【図３】ダスト収集部材をスプール弁に取り付けた状態を示す斜視図である
【図４】スプール弁の動作を示す作動図である。
【図５】ダスト収集部材により異物を捕集する状態を示す作動図である
【図６】ダスト収集部材の他の例を示す図である
【図７】ダスト収集部材のさらに異なる例を示す図である
【図８】(a)ダスト収集部材の斜視図、(b)ダスト収集部材の軸方向の断面図、(c)ダスト収集部材を取り付ける状態を示す図である
【発明を実施するための形態】
【００２１】
本発明の実施の形態について、図１乃至図８に基づいて説明する。図１は、本発明の一実施形態である流量制御装置６０の構成を示す。図１において、１０は、ポンプハウジングであり、このポンプハウジング１０に弁収納孔１１が形成される。弁収納孔１１には、その開口端にユニオン１３が螺着され、ユニオン１３には圧力流体送出口１２が形成され、圧力流体送出口１２は流体作動装置としての動力舵取装置の制御弁に通ずる。
【００２２】
弁収納孔１１には供給通路１５とバイパス通路１６が弁収納孔１１の中心軸Ａの方向に離間して開口され、供給通路１５はポンプの吐出室に連通され、バイパス通路１６はポンプの吸入室に連通される。
【００２３】
弁収納孔１１には供給通路１５とバイパス通路１６との連通路を閉止しかつその連通路の開度を調整可能にするべく流量調整用スプール弁１７が摺動可能に嵌装される。スプール弁１７の両側に第１弁室１８と第２弁室１９が形成される。
【００２４】
第２弁室１９には、スプール弁１７を第１弁室１８に向けて押圧するスプリング２０が設けられ、スプリング２０の付勢力によってスプール弁１７をユニオン１３側へ付勢しており、第１弁室１８に開口する供給通路１５とバイパス通路１６との連通を遮断している。
【００２５】
ユニオン１３には絞り通路としての固定絞り２１が設けられ、固定絞り２１の上流側は第１弁室１８に連通され、下流側は連通路２２を介して第２弁室１９に連通されている。これにより、スプール弁１７は固定絞り２１の前後の差圧によって変位され、固定絞り２１の前後差圧を一定にするようにバイパス通路１６を開口制御する。
【００２６】
ユニオン１３のスプール弁１７側の端面には、フランジ部２３が形成され、このフランジ部２３と弁収納孔１１との間に環状隙間２４が形成される。供給通路１５より弁収納孔１１内に導かれる圧油の一部は環状隙間２４に流入する。また、供給通路１５よりユニオン１３内の固定絞り２１に対する上流側へ導かれ、さらに第１弁室１８に流入した圧油は、スプール弁１７のユニオン１３側の端部に作用する。
【００２７】
流量調整用スプール弁１７には、スプール弁１７の全行程においてバイパス通路１６に開口する環状溝１７ａが形成され、この環状溝１７ａに連通する逃がし孔２５がスプール弁１７に形成されている。逃がし孔２５には、球弁２６とスプリング２７によって構成されたレリーフ弁２８が内蔵され、レリーフ弁２８は第２弁室１９内の圧力が設定圧以上になると、スプリング２７の付勢力に抗して球弁２６を開き、第２弁室１９の流体を逃がし孔２５より環状溝１７ａを介してバイパス通路１６に逃がすようにしている。
【００２８】
スプール弁１７のユニオン１３側の先端には、ダスト収集部材３０が取り付けられている。このダスト収集部材３０について、図２、図３も参酌しつつ説明する。図２は、図１におけるII-II線矢視図であり、軸方向からダスト収集部材３０を眺めた平面図を示す。
【００２９】
図３は、ダスト収集部材３０がスプール弁１７に取り付けられた状態を示す斜視図であり、ダスト収集部材３０を立体的に眺めた状態を示している。ダスト収集部材３０は、支持ディスク３０ａと、支柱３０ｂと、ダストリップ３０ｃを備えている。
【００３０】
この例では、図示するように、スプール弁１７の先端に軸方向に沿って３本の支柱３０ｂが取り付けられ、支柱３０ｂの先端に支持ディスク３０ａが取り付けられている。支持ディスク３０ａは、スプール弁１７と軸が一致するように設けられており、内径側である軸中心に貫通孔が形成された中空円板状に形成されている。
【００３１】
支持ディスク３０ａには、その外周に沿ってダストリップ３０ｃが取付けられている。ダストリップ３０ｃは径方向に略同一幅の厚みを有して形成されている。そして、ダストリップ３０ｃは、その外周と弁収納孔１１を囲むハウジングの内壁面５０とが略隙間なく接触を保ち得るように設けられる。
【００３２】
ダストリップ３０ｃは、弾性材により形成されている。ダストリップ３０ｃは、後に説明するように、スプール弁１７が摺動動作すると、これに伴って軸方向に摺動するが、その外周が若干撓みながらハウジングの内壁面５０に摺動することが好ましい。
【００３３】
従って、ダストリップ３０ｃは、ハウジングの内壁面に弱く接触して撓みながら摺動させることが可能な弾性材により形成するのが好ましい。ダストリップ３０ｃの材質の具体例として、NBRを主材とするゴム材等を挙げることができる。即ち、ダストリップ３０ｃは、適度に撓んでハウジングの内壁面５０に接触している状態で、スプール弁１７の摺動動作に対して過度の負荷を与えない材質のものにより形成することができる。
【００３４】
以上に説明した流量制御装置６０の動作について、以下に図４、５も参酌しつつ説明する。図４は、ポンプからの流量が増加した場合に余剰流をバイパスさせるスプール弁１７の動作を示す図である。図５は、本発明に係るダスト収集部材３０により流体中のダストが収集される状態を示す模式図である。
【００３５】
ポンプより圧油が吐出されると、供給通路１５より固定絞り２１および送出口１２を介して動力舵取装置等の流体作動装置に送出される。吐出流量が増加すると、固定絞り２１前後の差圧が増大する。そして、差圧が増大すると、図４に示すように、スプール弁１７が変位され、バイパス通路１６を開口して余剰流をバイパス流としてバイパス通路１６にバイパスする。これにより、固定絞り２１前後の差圧が一定に制御され、送出口１２より送出される流量が一定に制御される。
【００３６】
図５について以下に説明する。ポンプを吐出された圧油は、供給通路１５を通って開口１５ａから弁収納孔１１内に流入する。そして、圧油が開口１５ａから弁収納孔１１内に流入すると、周回方向に循環する循環流Ｃが発生する。また、流入した圧油は、圧油の供給元であるポンプや圧油の供給先である流体作動装置を循環する過程で混入した異物Ｄを含んでいる。異物Ｄは、流量制御装置６０に連結されるポンプや流体作動装置及びその他の圧油が循環する油圧の経路内に存在した金属粒を主に含んでいる。
【００３７】
圧油中の異物Ｄは供給通路１５の開口１５ａから弁収納孔１１内に流入すると、循環流Ｃにより周方向に運ばれる。そして、異物Ｄの多くの部分は、弁収納孔１１の周方向における開口１５ａが形成される側に対し、軸Ａを挟んで対向する側に滞留し易い。
【００３８】
この流量制御装置６０によると、ダスト収集部材３０により異物Ｄを捕集することができる。そして、ダストリップ３０ｃは、異物Ｄがより滞留し易い供給通路１５の開口と対向する側のみならず、弁収納孔１１の全周に亘って設けられるので、より確実に異物Ｄを捕集することができる。
【００３９】
従って、流量制御装置６０によると、スプール弁１７とハウジング１０の内壁面５０との間に侵入する異物Ｄを低減し、異物Ｄによってスプール弁１７の動作が妨げられることやスプール弁１７やハウジング１０の内壁面５０が損傷を受けることを防止できる。
【００４０】
そして、この流量制御装置６０によると、ダスト収集部材３０によりダストＤを捕集するので、流量や圧力の変動を受けることなく、異物Ｄを捕集できる。即ち、流れを制御することで異物Ｄをスプール弁１７の先端周辺から除去する方式を採用した場合には、流量圧力の変動により異物を除去するような流れを生成できない場合がある。この流量制御装置６０にあっては、このような流量や圧力の影響を受けることなく異物Ｄを捕集できる。
【００４１】
また、羽根の回転により所定の流れを発生させて異物を除去しようとする場合、所定の流れに制御可能に羽根形状を高い精度で設計する必要がある。一方、流量制御装置６０にあっては、比較的に簡易な構造でダストリップ３０ｃを支持することができ、構造を簡便にすることもできる。
【００４２】
以上の説明では、ダストリップ３０ｃをハウジング１０の内壁面５０の全周に亘って形成する例により説明した。以下に説明するように、内壁面５０の周方向の一部にのみダストリップを設けることもできる。
【００４３】
図６は、周方向の一部にのみダストリップを設けた例を示す。図６は、ダスト収集部材３１をユニオン側から軸方向に沿って眺めた平面図を示す。図６に示すように、ダスト収集部材３１は、支持ディスク３１ａと支柱３１ｂとダストリップ３１ｃを備えている。
【００４４】
支持ディスク３１ａが支柱３１ｂを介してスプール弁１７の先端に取り付けられており、ダストリップ３１ｃが支持ディスク３１ａの外周に沿って設けられている。図６に示す例では、支持ディスク３１ａは、供給通路１５の弁収納孔１１への開口１５ａと、軸Ａを挟んで対向する側に設けられている。また、支持ディスク３１ａは、外周が略半円状をなし、内径側に貫通孔が形成されている。即ち、図６に示す例では、支持ディスク３１ａの中心Ｏ(軸Ａと一致)から支持ディスク３１ａの外周を見込む角度θは約180度となる。そして、この支持ディスク３１ａの外周の端から端に亘ってダストリップ３１ｃが設けられている。
【００４５】
以上に説明したように、弁収納孔１１内に圧油とともに流入した異物Ｄの多くの部分は、周方向における供給通路１５の開口１５ａと対向する側に滞留し易い。従って、図６に示すように、開口１５ａと対向する側に外周が略半円状をなすダストリップ３１ｃを設けることで、異物Ｄの多くの部分を捕集することができる。
【００４６】
また、このように支持ディスク３１ａ及びダストリップ３１ｃを弁収納孔１１の全周で
なく一部の範囲に設けることで、全周に沿って設けた場合に比べ、スプール弁１７の周辺の流れに対する影響をより少なくでき、スプール弁１７の動作に対する影響を低減できる。
【００４７】
図６の例では、支持ディスク３１ａ及びダストリップ３１ｃを開口１５ａと対向する側で弁収納孔１１の全周に対する略半周に対応させて設ける例を示したが、弁収納孔１１の周回のより狭い範囲で支持ディスク３１ａ及びダストリップ３１ｃを設けることもできる。
例えば、図６に示す例において、角度θが９０度となるように支持ディスク３１ａ及びダストリップ３１ｃを設けることもできる。
【００４８】
即ち、支持ディスク及びダストリップは、供給通路１５の開口１５ａと軸Ａを挟んで対向する側であり、弁収納孔１１の周回に沿った円弧の少なくとも一部を外周として設けることができる。当該流量制御装置を用いるポンプや流体作動装置との関係で捕集しようとする異物Ｄの量に差がある場合があり、このような事情に応じて、支持ディスク及びダストリップを設ける範囲を設定することができる。
【００４９】
このように、支持ディスク及びダストリップを設ける範囲を、弁収納孔の周方向のより狭い範囲とすることで、スプール弁１７の周辺の流れに対する影響をより少なくし、スプール弁１７の動作に対する影響をより低減できる。
【００５０】
以上の説明では、支持ディスクの外周の全範囲にダストリップを付設する例を示したが、支持ディスクの外周の一部の範囲にのみダストリップを付設するのであっても構わない。即ち、支持ディスクとダストリップとを組立てる設計上の事情や、この流量制御装置の使用事情に基づく異物Ｄの量に応じて、支持ディスクに対してダストリップを付設する範囲を選択することができる。
【００５１】
以上の説明では、ダスト収集部材をスプール弁１７に取り付ける例を説明したが、図７に示すように、ダスト収集部材をハウジング１０の内壁５０に付設することもできる。図８は、図７に示されるダスト収集部材３２を示しており、図８(ａ)はダスト収集部材３２の斜視図であり、図８(ｂ)はダスト収集部材３２の軸方向に沿った断面図である。図８(ｃ)は、ダスト収集部材３２をハウジングの内壁５０に取り付ける状況を示す図である。
【００５２】
ダスト収集部材３２は、図７に示すように、軸方向において、スプール弁１７とユニオン１３との間に設けられている。ダスト収集部材３２は、図８に示すように、芯金としてのコアディスク３２ａとディスク３２ａの外側を覆う弾性材で形成された弾性外被３２ｂを備えている。
【００５３】
コアディスク３２ａは、軸中心に貫通孔が形成された中空円板状をなし、軸方向の厚さｃを有している。弾性外被３２ｂは、その中心にコアディスク３２ａの中心の孔と一致するように孔が形成されている。
【００５４】
弾性外被３２ｂは、コアディスク３２ａに対して軸方向の両側の各々に一定厚さｄを有して形成される。また、弾性外被３２ｂはコアディスク３２ａに対して、径方向にも一定厚さ張り出して形成されている。この弾性外被３２ｂのうち外周部分３２ｃはダストリップにあたり、主に異物を捕集する機能を果たす。また、外周部分３２ｃは、後に説明するように、ダスト収集部材３２を取付溝５５に取付けるための取付代が確保される。
【００５５】
ハウジングの内壁面５０には、図８(ｃ)に示すように、ダスト収集部材３２を付設するための周方向に沿って取付溝５５が形成されている。この取付溝の軸方向隙間ｇは、ダスト収集部材３２の軸方向の厚さ（ｃ＋２ｄ）より若干小さくされている（ｇ＜ｃ＋２ｄ）。
これにより、外周が弾性材で形成されるダスト収集部材３２を取付溝５５の入り口で弾性変形させつつ溝の奥へ押し込み、該溝５５へダスト収集部材３２を装着できる。
【００５６】
なお、図７、８に示す例では、ダスト収集部材３２を弁収納孔１１の内壁面５０の全周に亘って設ける例を示したが、内壁面５０の周方向の一部の範囲に設けることもできる。
即ち、ダストリップを供えるダスト収集部材は、弁収納孔１１の周方向における供給通路１５の開口１５ａと、軸Ａを挟んだ対向する側であり、弁収納孔１１の周回に沿った円弧の少なくとも一部を外周として設けることができる。
【００５７】
例えば、ダスト収集部材を、開口１５ａと対向する側で弁収納孔１１の全周の略半周に相当する範囲に設け、または、さらに狭い範囲に設けることもできる。ダストリップを設ける範囲は、当該流量制御装置を使用する事情に基づく異物Ｄの量やダスト収集部材の設計上の事情に応じて選択することができる。
【符号の説明】
【００５８】
１０・・・ハウジング
１１・・・弁収納孔
１２・・・圧力流体送出口
１３・・・ユニオン
１５・・・供給通路
１５ａ・・・供給通路の開口
１６・・・バイパス通路
１７・・・スプール弁
１８・・・第１弁室
１９・・・第２弁室
２０・・・スプリング
２１・・・絞り通路（固定絞り）
２３・・・フランジ部
２４・・・環状隙間
２５・・・逃がし孔
２７・・・スプリング
２８・・・レリーフ弁
３０・・・ダスト収集部材
３１・・・ダスト収集部材
３２・・・ダスト収集部材
５０・・・内壁面
５５・・・取付溝
６０・・・流量制御装置
【図１】
2011111928.tif 000003
【図２】
2011111928.tif 000004
【図３】
2011111928.tif 000005
【図４】
2011111928.tif 000006
【図５】
2011111928.tif 000007
【図６】
2011111928.tif 000008
【図７】
2011111928.tif 000009
【図８】
2011111928.tif 000010